(57)【特許請求の範囲】
【請求項１】
警戒・解除操作可能なコントローラ及び出入り口に配置されて人体を検知可能なセンサを有する警備対象施設と警備会社とが通信回線で接続された警備システムにおいて、
前記警備対象施設のコントローラは、前記通信回線から所定の信号を受信した際に作動する第１タイマと、該第１タイマの作動中に前記センサから検知信号の入力があった場合に作動する第２タイマとを備え、前記第２タイマがタイムアップする前に前記コントローラが解除操作されない場合に警備会社に警報信号を送信すると共に、前記第１タイマの作動中に前記センサから検知信号の入力がない場合に警戒状態に復帰することを特徴とする警備システム。
【請求項２】
前記第１タイマは、警備対象施設と警備会社とを接続する電話回線網から予め設定した所定の信号を受信した際に作動することを特徴とする請求項１に記載の警備システム。
【請求項３】
前記所定の信号は、予め設定されている電話番号であることを特徴とする請求項２に記載の警備システム。
【請求項４】
前記第１タイマは、警備対象施設と警備会社とを接続するインターネット網から予め設定した所定の信号を受信した際に作動することを特徴とする請求項１に記載の警備システム。
【請求項５】
前記第１タイマは、警備対象施設の屋外に設けた無線リモコンから予め設定した所定の信号を受信した際に作動することを特徴とする請求項１に記載の警備システム。
【発明の詳細な説明】
【技術分野】
【０００１】
本発明は、警備対象施設と警備会社との間を電話回線網やインターネット網等の通信回線で接続した警備システムに関する。
【背景技術】
【０００２】
一般的に、警備対象施設と警備会社との間を通信回線等で接続した警備システムにおいては、警備対象施設の出入り口に侵入者（人体）を検知するセンサが設けられており、このセンサは該施設内に設けられて警備システムの警戒・解除操作が可能なコントローラに接続されている。そして、警備員や施設の住人（警備員等という）が施設内のコントローラを警戒状態に設定して出入り口から出ようとしたり、出入り口から警戒状態の施設内に入ろうとする場合、出入り口の所定範囲内に設置したセンサが警備員等を検知しても一定時間警報を発しないように、すなわち警報時間を一定時間遅らせるようにしている。
【０００３】
従来、この警備対象施設の出入り口における入退出時の警報時間の遅れ設定は、施設内のコントローラに設けたタイマ（遅延タイマ）に予め所定時間を設定することにより行っている。なお、この種の警備システムに関する公報としては、例えば特許文献１がある。
【特許文献１】特開２００２−２３６９８６号公報
【発明の開示】
【発明が解決しようとする課題】
【０００４】
しかしながら、このような警備システムにあっては、入退出時の警報時間の設定がコントローラ内に設けた遅延タイマに予め設定されている所定時間によって行われるため、例えば施設内に侵入しようとする侵入者が所定時間内にコントローラの位置まで到達して該コントローラを破壊して警報動作（警備会社に通報したりベルを鳴らしたりすること）をできなくする虞があり、警備システムのセキュリティ性を十分に高めることが難しい。
【０００５】
本発明は、このような事情に鑑みてなされたもので、その目的は、入退出時の警報時間のタイマ動作を確実に行って、侵入者による破壊防止等を抑制すると共に警備員等の出入り時の誤報を防止し、セキュリティ性を十分に高めることが可能な警備システムを提供することにある。
【課題を解決するための手段】
【０００６】
かかる目的を達成すべく、本発明のうち請求項１に記載の発明は、警戒・解除操作可能なコントローラ及び出入り口に配置されて人体を検知可能なセンサを有する警備対象施設と警備会社とが通信回線で接続された警備システムにおいて、前記警備対象施設のコントローラは、前記通信回線から所定の信号を受信した際に作動する第１タイマと、該第１タイマの作動中に前記センサから検知信号の入力があった場合に作動する第２タイマとを備え、前記第２タイマがタイムアップする前に前記コントローラが解除操作されない場合に警備会社に警報信号を送信すると共に、前記第１タイマの作動中に前記センサから検知信号の入力がない場合に警戒状態に復帰することを特徴とする。
【０００７】
そして、前記第１タイマは、請求項２に記載の発明のように、警備対象施設と警備会社とを接続する電話回線網から予め設定した所定の信号を受信した際に作動することが好ましく、この場合、前記所定の信号は、請求項３に記載の発明のように、予め設定されている電話番号であることが好ましい。また、前記第１タイマは、請求項４に記載の発明のように、警備対象施設と警備会社とを接続するインターネット網から予め設定した所定の信号を受信した際に作動したり、請求項５に記載の発明のように、警備対象施設の屋外に設けた無線リモコンから予め設定した所定の信号を受信した際に作動することが好ましい。
【発明の効果】
【０００８】
本発明のうち請求項１に記載の発明によれば、警備対象施設のコントローラに設けた第１タイマの作動中にセンサから検知信号の入力があった場合に、第２タイマが作動してそのタイムアップ前にコントローラが解除操作されないと警備会社に警報信号が送信されるため、第１タイマをトリガータイマとして使用し、入退出時のタイマ動作を２アクションとして確実に行って警報時間を遅らせることができ、侵入者によるコントローラの破壊を抑制したり警備員等の出入りによる誤報を防止できる等、警備システムのセキュリティ性を十分に高めることができる。また、第１タイマの作動中にセンサから検知信号の入力がない場合にコントローラが警戒状態に復帰するため、警報信号を発信するための第２タイマの作動を確実に行うことができると共に、警戒状態への設定忘れを防止してセキュリティ性をより一層向上させることができる。
【０００９】
また、請求項２に記載の発明によれば、請求項１に記載の発明の効果に加え、電話回線網から予め設定した所定の信号を受信した際に第１タイマが作動するため、携帯電話や固定電話等の電話端末から電話をかけることにより第１タイマを作動できて、その操作性を向上させることができる。
【００１０】
また、請求項３に記載の発明によれば、請求項２に記載の発明の効果に加え、予め設定されている電話番号の場合に第１タイマが作動するため、例えばコントローラにナンバーディスプレイ機能を持たせることで電話料金の低減化が図れ、コスト的に有利な警備システムを得ることができる。
【００１１】
また、請求項４に記載の発明によれば、請求項１に記載の発明の効果に加え、インターネット網から予め設定した所定の信号を受信した際に第１タイマが作動するため、携帯電話やパソコン等の端末からインターネット網にアクセスすることにより第１タイマを作動できて、その操作性を向上させることができる。
【００１２】
また、請求項５に記載の発明によれば、請求項１に記載の発明の効果に加え、警備対象施設の屋外に設けた無線リモコンから予め設定した所定の信号を受信した際に第１タイマが作動するため、屋外リモコンの操作で第１タイマを作動できて、その操作性を向上させることができると共に、例えば脅迫時の的確な対応が可能となり、セキュリティ性を一層向上させることができる。
【発明を実施するための最良の形態】
【００１４】
以下、本発明の実施の形態を図面に基づいて詳細に説明する。
図１〜図６は、本発明に係わる警備システムの一実施形態を示し、図１がその構成図、図２がコントローラのブロック図、図３がその動作の一例を示すフローチャート、図４が他の動作を示すフローチャート、図５がリモコンの説明図、図６がその動作を示すフローチャートである。
【００１５】
図１に示すように、警備システム１は、工場の事務所や一般家庭等の警備対象施設２と、この警備対象施設２と電話回線網４及びインターネット網５で接続された警備会社３等で構成され、警備対象施設２は、該施設２への出入り口に配置された熱線センサ等のセンサ６及び該センサ６が接続されたコントローラ７等を備えている。
【００１６】
前記コントローラ７は、図２に示すように、ＣＰＵ９及び後述する第１タイマ１０ａと第２タイマ１０ｂからなるタイマ１０を有する制御部８を備え、この制御部８の入力側には、電源入力部１１と操作パネル等の操作部１２及び前記センサ６が接続されたセンサ入力部１３等が接続され、制御部８の出力側には、表示部１４と音声出力部１５及びリレー出力部１６等が接続されている。また、制御部８には、前記電話回線網４が接続されるモデム等の電話回線部１７と前記インターネット網５が接続されるＩＰ部１８、及び後述するリモコン２２が接続されるリモコン入力部１９が接続されると共に、無線入出力部２０及び記憶部２１等が接続されている。
【００１７】
なお、図１に示すように、前記警備会社３もコントローラ７と略同様の図示しない制御部や無線入出力部等を有するコントローラ２３や図示しない監視卓等を備え、警備対象施設２のコントローラ７から送信される各種信号が常時監視できるようになっている。また、前記電話回線網４には、携帯電話や固定電話等の端末２４が接続され、前記インターネット網５には、携帯電話やパソコン等の端末２５が接続されるようになっている。
【００１８】
次に、このように構成された警備システム１の動作の一例を図３のフローチャートに基づいて説明する。なお、図３に示すフローチャートは、前記制御部８の記憶部２１に予め記憶されたプログラムにしたがって自動的に実行される。先ず、警備システム１の電源が投入されるとプログラムがスタート（Ｓ１００）し、警戒状態か否かが判断（Ｓ１０１）され、この判断Ｓ１０１は「ＹＥＳ」になるまで繰返される。判断Ｓ１０１で「ＹＥＳ」になると、すなわちコントローラ７の操作部１２により警備システム１が警戒状態に設定されると、タイマトリガー信号が有りか否かが判断（Ｓ１０２）される。
【００１９】
この判断Ｓ１０２におけるタイマトリガー信号とは、電話回線網４やインターネット網５等からコントローラ７に入力される所定の信号であり、例えば電話回線網４の場合は、図４に示すようにして出力される。すなわち、プログラムがスタート（Ｓ２０１）すると、電話着信が有りか否かが判断（Ｓ２０２）され、この判断Ｓ２０２で「ＹＥＳ」の場合、すなわち例えば警備員等が携帯電話や固定電話等の端末２４でコントローラ７に電話をかけると、その電話番号が認証ＯＫか否かが判断（Ｓ２０３）される。
【００２０】
この判断２０３は、例えばナンバーディスプレイ機能のように、前記記憶部２１に予め所定の電話番号を記憶させ、この記憶した電話番号と着信した電話番号が一致した場合に認証ＯＫとして、タイマトリガー信号が出力（Ｓ２０４）されて認証プログラムがエンド（Ｓ２０５）となる。また、着信した電話番号と記憶してある電話番号が一致せず判断Ｓ２０３で「ＮＯ」の場合は、直ちにエンド（Ｓ２０５）となるか、あるいは判断Ｓ２０２に戻り次の電話の着信を待つことになる。つまり、記憶してある電話番号を着信した場合にのみ、タイマトリガー信号が出力されることになる。
【００２１】
なお、図４は電話回線網４を使用した電話による認証方法を示すが、インターネット網５を使用する場合も、端末２５からコントローラ７に入力されたアドレス等の所定の信号が予め記憶部２１に記憶されている信号と一致した場合にのみ、認証ＯＫとしてタイマトリガー信号が出力されるようになっている。
【００２２】
そして、図３に示すように、判断Ｓ１０２で「ＹＥＳ」になりタイマトリガー信号が入力されると、制御部８の第１タイマ１０ａがスタート（Ｓ１０３）し、その後、前記センサ６から検知信号の入力が有りか否かが判断（Ｓ１０４）される。この判断Ｓ１０４で「ＮＯ」の場合、すなわち第１タイマ１０ａがスタートした後でセンサ６から検知信号の入力がない場合は、第１タイマ１０ａがタイムアップか否かが判断（Ｓ１０５）される。この判断Ｓ１０５で「ＮＯ」の場合は判断Ｓ１０４に戻り、また、判断１０５で「ＹＥＳ」の場合、すなわち第１タイマ１０ａの作動中（カウント中）にセンサ６から検知信号の入力がない場合は、判断Ｓ１０１に戻って次のタイマトリガー信号の入力を待つことになる。
【００２３】
一方、判断Ｓ１０４で「ＹＥＳ」の場合、すなわち第１タイマ１０ａの作動中にセンサ６から検知信号が入力された場合は、前記制御部８の第２タイマ１０ｂがスタート（Ｓ１０６）し、解除操作が有りか否かが判断（Ｓ１０７）される。この解除操作は、コントローラ７の操作部１２によって行われ、この判断Ｓ１０７で「ＮＯ」の場合は第２タイマ１０ｂがタイムアップか否かが判断（Ｓ１０８）される。この判断Ｓ１０８で「ＮＯ」の場合は判断Ｓ１０７に戻り、判断Ｓ１０８で「ＹＥＳ」の場合、すなわち第２タイマ１０ｂの作動中に解除操作が行われなかった場合は、警報信号が電話回線網４等を介して警備会社２のコントローラ２３に送信（Ｓ１１０）される。また、判断Ｓ１０７で「ＹＥＳ」の場合、すなわち第２タイマ１０ｂの作動中に操作部１２で解除操作が行われた場合は、警備システム１の警戒状態が解除（Ｓ１０９）されて、一連のプログラムがエンド（Ｓ１１１）となる。
【００２４】
つまり、このフローチャートによれば、タイマトリガー信号により第１タイマ１０ａがスタートし、この第１タイマ１０ａの作動中にセンサ６から検知信号が入力されると第２タイマ１０ｂがスタートし、この第２タイマ１０ｂの作動中に操作部１２で解除操作を行うことにより警戒状態を解除でき、第１タイマ１０ａと第２タイマ１０ｂの２つのアクションにより、警報時間をタイマ１０ｂの設定時間だけ遅らせることができる。なお、第１タイマ１０ａと第２タイマ１０ｂの各タイマ時間は、警備対象施設２の出入り口からコントローラ７までの距離等の形態に応じて所定の時間に設定できるようになっている。
【００２５】
なお、以上のフローチャートにおいては、タイマトリガー信号が電話回線網４とインターネット網５の各端末２４、２５から入力される場合について説明したが、例えば、コントローラ７に接続されているリモコン２２の信号を利用することもできる。この場合は、図５に示すように、コントローラ７に接続されるリモコン２２として、屋内リモコン２２ａと屋外リモコン２２ｂを使用し、少なくとも屋外リモコン２２ｂをワイヤレスとする。
【００２６】
そして、図６に示すように、プログラムがスタート（Ｓ３０１）したら、屋内リモコン２２ａ（もしくは屋外リモコン２２ｂ）が操作されて警戒解除スイッチがＯＮしたか否かが判断（Ｓ３０２）され、この判断Ｓ０２で「ＹＥＳ」の場合に、屋外リモコン２２ｂ（もしくは屋内リモコン２２ａ）がＯＮしたか否かが判断（Ｓ３０３）される。そして、判断Ｓ３０２と判断Ｓ３０３で共に「ＹＥＳ」の場合に、タイマトリガー信号が出力（Ｓ３０４）されてエンド（Ｓ３０５）となる。つまり、屋内リモコン２２ａと屋外リモコン２２ｂが共にＯＮ操作されない限り、第１タイマ１０ａがスタートせず警報時間を遅らせることが不可能となる。
【００２７】
このように、上記実施形態の警備システム１にあっては、警備対象施設２のコントローラ７に第１タイマ１０ａと第２タイマ１０ｂを設け、第１タイマ１０ａの作動中にセンサ６から検知信号の入力があった場合に第２タイマ１０ｂが作動しそのタイムアップ前にコントローラ７が解除操作されないと警備会社３に警報信号が送信されるため、第１タイマ１０ａをトリガータイマとして使用して、入退出時のタイマ動作を第１タイマ１０ａと第２タイマ１０ｂの２アクションとして警報時間をタイマ１０ｂの時間分遅らせることができる。その結果、侵入者によるコントローラ７の破壊を抑制したり警備員等の出入りによる誤報を防止できて、警備システム１のキュリティ性を十分に高めることが可能となる。
【００２８】
また、コントローラ７の第１タイマ１０ａをスタートさせるタイマトリガー信号を電話回線網４やインターネット網５の端末２４、２５及びリモコン２２の操作により得ることができるため、警戒解除時の操作性を向上させることができる。特に、コントローラ７が電話回線網４やインターネット網５から予め設定した所定の信号を受信した際に第１タイマ１０ａが作動するため、携帯電話や固定電話、あるいはパソコン等の端末２４、２５の操作により第１タイマ１０ａを作動できて、その操作性を一層向上させることができる。また、屋内及び屋外の２台のリモコン２２ａ、２２ｂの操作によりタイマトリガー信号が得られるようにすれば、例えば屋外で侵入者に脅迫された場合であっても、屋外リモコン２２ｂの操作だけでは警戒解除されないため、セキュリティ性の一層の向上が図れると共に、脅迫時の対応を的確に行うこと等が可能となる。
【００２９】
また、電話回線網４を使用する場合等に、予め設定されている電話番号の場合にのみ第１タイマ１０ａが作動するようにすれば、例えばコントローラ７にナンバーディスプレイ機能を持たせることで電話料金の低減化を図ることができて、コスト的に有利な警備システム１を得ることが可能となる。さらに、第１タイマ１０ａの作動中にセンサ６から検知信号の入力がない場合に警備システム１が警戒状態に自動的に復帰するため、警戒状態への設定忘れ等を防止して警備システム１のセキュリティ性をより一層向上させることが可能となる。
【００３０】
なお、上記実施形態における、コントローラ７の具体的な構成、タイマ１０の構成等は一例であって、例えば第１タイマ１０ａと第２タイマ１０ｂのうち一方を固定時間とし他方を時間変更可能に構成する等、本発明に係わる各発明の要旨を逸脱しない範囲において適宜に変更することができる。
【産業上の利用可能性】
【００３１】
本発明は、警備対象施設と警備会社が電話回線網とインターネット網の両方で接続されたシステムに限らず、いずれか一方で接続されたシステム等でも利用できる。
【図面の簡単な説明】
【００３２】
【図１】本発明に係わる警備システムの一実施形態を示す構成図
【図２】同そのコントローラのブロック図
【図３】同その動作の一例を示すフローチャート
【図４】同他の動作を示すフローチャート
【図５】同リモコンの説明図
【図６】同その動作を示すフローチャート
【符号の説明】
【００３３】
１・・・警備システム、２・・・警備対象施設、３・・・警備会社、４・・・電話回線網、５・・・インターネット網、６・・・センサ、７・・・コントローラ、８・・・制御部、９・・・ＣＰＵ、１０・・・タイマ、１０ａ・・・第１タイマ、１０ｂ・・・第２タイマ、１２・・・操作部、１３・・・センサ入力部、１７・・・電話回線部、１８・・・ＩＰ部、２０・・・無線入出力部、２１・・・記憶部、２２・・・リモコン、２２ａ・・・屋内リモコン、２２ｂ・・・屋外リモコン、２３・・・コントローラ、２４、２５・・・端末。
【図１】
0005016452.tif 000002
【図２】
0005016452.tif 000003
【図３】
0005016452.tif 000004
【図４】
0005016452.tif 000005
【図５】
0005016452.tif 000006
【図６】
0005016452.tif 000007